(57)【特許請求の範囲】
【請求項１】
式Ｉの１種類以上の化合物と、式ＩＡおよびＩＢの化合物より選択される１種類以上の化合物と、式ＲＩ〜ＲＶＩＩの１種類以上の化合物とを含むことを特徴とする液晶媒体。
【化１．１】
0005518739.tif 000053
（式中、
Ｒ１、Ｒ２は、それぞれ互いに独立に、Ｈ、１〜１５個のＣ原子を有し、ハロゲン化されているか、ＣＮ置換されているか、または、無置換であるアルキル基を表し、ただし加えて、Ｏ原子が互いに直接結合しないようにして、これらの基における１個以上のＣＨ２基は、それぞれ互いに独立に、−Ｃ≡Ｃ−、−ＣＯ−、−ＣＨ＝ＣＨ−、−Ｏ−、
【化１．２】
0005518739.tif 000054
で置き換えられていてもよく、
Ｘ１、Ｘ２は、それぞれ互いに独立に、Ｆ、Ｃｌ、ＣＮ、ＳＦ５、ＳＣＮ、ＮＣＳ、それぞれ６個までのＣ原子を有するハロゲン化アルキル基、ハロゲン化アルケニル基、ハロゲン化アルコキシ基またはハロゲン化アルケニルオキシ基を表し、および
Ｌ１〜４は、それぞれ互いに独立に、ＨまたはＦを表す。）
【化２】
0005518739.tif 000055
（式中、
Ｒ＊は、それぞれ９個までのＣ原子を有するｎ−アルキル、アルケニル、アルコキシ、オキサアルキル、フルオロアルキルまたはアルケニルオキシを表し、
ａｌｋｙｌおよびａｌｋｙｌ＊は、それぞれ互いに独立に、１〜９個のＣ原子を有する直鎖状または分岐状のアルキル基を表し、および
（Ｏ）は、単結合または−Ｏ−を表す。）
【請求項２】
式Ｉの化合物は、式Ｉ−１〜Ｉ−５の化合物から成る群より選択される１種類または２種類以上の化合物を含むことを特徴とする請求項１に記載の液晶媒体。
【化３】
0005518739.tif 000056
（式中、Ｘは請求項１において定義される通りであり、および
ｎは、１、２、３、４、５、６または７を表す。）
【請求項３】
式ＩＡの化合物は、式ＩＡ−１〜ＩＡ−４の化合物から成る群より選択される１種類以上の化合物を含むことを特徴とする請求項１に記載の液晶媒体。
【化４】
0005518739.tif 000057
（式中、Ｒ２は請求項１において定義される通りである。）
【請求項４】
式ＩＢの化合物は、式ＩＢ−１〜ＩＢ−４の化合物から成る群より選択される１種類以上の化合物を含むことを特徴とする請求項１に記載の液晶媒体。
【化５】
0005518739.tif 000058
（式中、Ｒ２は請求項１において定義される通りである。）
【請求項５】
一般式ＩＩ、ＩＩＩ、ＩＶ、ＶおよびＶＩから成る群より選択される１種類以上の化合物を追加的に含むことを特徴とする請求項１〜４のいずれか一項に記載の液晶媒体。
【化６】
0005518739.tif 000059
（式中、個々の基は以下の意味を有する：
Ｒ０は、Ｈ、それぞれ９個までのＣ原子を有するｎ−アルキル、アルコキシ、オキサアルキル、フルオロアルキル、アルケニルオキシまたはアルケニルを表し、
Ｘ０は、Ｆ、Ｃｌ、６個までのＣ原子を有するハロゲン化アルキル、アルケニル、アルケニルオキシまたはアルコキシを表し、
Ｚ０は、−Ｃ２Ｆ４−、−ＣＦ＝ＣＦ−、−ＣＨ＝ＣＦ−、−ＣＦ＝ＣＨ−、−Ｃ２Ｈ４−、−ＣＨ＝ＣＨ−、−Ｏ（ＣＨ２）３−、−（ＣＨ２）３Ｏ−、−（ＣＨ２）４−、−ＣＦ２Ｏ−、−ＯＣＦ２−、−ＯＣＨ２−または−ＣＨ２Ｏ−を表し、
Ｙ１〜４は、それぞれ互いに独立に、ＨまたはＦを表し、および
ｒは、０または１を表す。）
【請求項６】
液晶媒体全体における式ＩＡ／ＩＢおよびＩ〜ＶＩの化合物の合計の割合が少なくとも５０重量％であることを特徴とする請求項１〜５のいずれか一項に記載の液晶媒体。
【請求項７】
式Ｅａ〜Ｅｆの１種類以上の化合物を追加的に含むことを特徴とする請求項１〜６のいずれか一項に記載の液晶媒体。
【化７】
0005518739.tif 000060
（式中、Ｒ０は、Ｈ、それぞれ９個までのＣ原子を有するｎ−アルキル、アルコキシ、オキサアルキル、フルオロアルキル、アルケニルオキシまたはアルケニルを表す。）
【請求項８】
式ＩＩの化合物は、式ＩＩａ〜ＩＩｇの化合物から成る群より選択される１種類以上の化合物を含むことを特徴とする請求項５〜７のいずれか一項に記載の液晶媒体。
【化８】
0005518739.tif 000061
（式中、Ｒ０は、Ｈ、それぞれ９個までのＣ原子を有するｎ−アルキル、アルコキシ、オキサアルキル、フルオロアルキル、アルケニルオキシまたはアルケニルを表す。）
【請求項９】
液晶媒体全体における式Ｉの化合物の割合が５〜４０重量％であることを特徴とする請求項１〜８のいずれか一項に記載の液晶媒体。
【請求項１０】
電気光学的目的のための請求項１〜９のいずれか一項に記載の液晶媒体の使用。
【請求項１１】
請求項１〜９のいずれか一項に記載の液晶媒体を含有する電気光学的液晶ディスプレイ。
【請求項１２】
式Ｉの１種類以上の化合物と、式ＩＡおよびＩＢより選択される１種類以上の化合物と、式ＲＩ〜ＲＶＩＩの１種類以上の化合物とを更なる液晶共成分と共に混合し、任意に添加剤を加えることを特徴とする請求項１〜９のいずれか一項に記載の液晶媒体の調製方法。
【発明の詳細な説明】
【技術分野】
【０００１】
本発明は、液晶媒体と、電気光学的目的のためのそれの使用と、この媒体を含有するディスプレイと、液晶媒体の調製方法とに関する。
【背景技術】
【０００２】
液晶は、印加された電圧によって、そのような物質の光学的特性を改変できるため、主にディスプレイ装置の中の誘電体として使用されている。液晶に基づく電気光学的装置は当業者に極めて既知であり、種々の効果に基づくことができる。そのような装置の例は、動的散乱を有するセル、ＤＡＰ（配向相の変形：Ｄｅｆｏｒｍａｔｉｏｎ  ｏｆ  Ａｌｉｇｎｅｄ  Ｐｈａｓｅｓ）セル、ゲスト／ホストセル、ツイストネマチック構造を有するＴＮセル、ＳＴＮ（スーパーツイストネマチック：Ｓｕｐｅｒｔｗｉｓｔｅｄ  Ｎｅｍａｔｉｃ）セル、ＳＢＥ（超複屈折効果：Ｓｕｐｅｒｂｉｒｅｆｒｉｎｇｅｎｃｅ  Ｅｆｆｅｃｔ）セルおよびＯＭＩ（光学モード干渉：Ｏｐｔｉｃａｌ  Ｍｏｄｅ  Ｉｎｔｅｒｆｅｒｅｎｃｅ）セルである。最も一般的なディスプレイ装置はＳｃｈａｄｔ−Ｈｅｌｆｒｉｃｈ効果に基づき、ツイストネマチック構造を有する。
【０００３】
液晶材料は、良好な化学的および熱的安定性および電界および電磁線放射に対して優れた安定性を有していなければならない。更に、液晶材料は、セル中で、低い粘度を有し、短いアドレス時間、低い閾電圧および高いコントラストを生成しなければならない。
【０００４】
液晶材料は、更に、通常の動作温度において、即ち、室温より上および下の出来る限り広い範囲において、適切な中間相、例えば、上記のセル用のネマチックまたはコレステリック中間相を有していなければならない。液晶は一般に複数成分の混合物として使用されるため、成分が互いに容易に混和することが重要である。導電性、誘電異方性および光学的異方性などの更なる特性は、セルのタイプおよび用途分野に応じて、種々の要求を満足しなければならない。例えば、ツイストネマチック構造を有するセル用の材料は、正の誘電異方性および低い導電率を有していなければならない。
【０００５】
例えば、個々のピクセルのスイッチングのために集積非線形素子を有するマトリクス液晶ディスプレイ（ＭＬＣディスプレイ）については、大きな正の誘電異方性、広いネマチック相、比較的小さな複屈折率、非常に高い比抵抗、優れたＵＶおよび温度安定性および低い蒸気圧を有する媒体が望まれる。
【０００６】
このタイプのマトリクス液晶ディスプレイは既知である。それぞれのピクセルを個々にスイッチングするために使用できる非線形素子は、例えば、アクティブ素子（即ち、トランジスタ）である。なお、用語「アクティブマトリクス」は、２つのタイプに区別できる場合において使用される：
１．基板としてのシリコンウエハー上のＭＯＳ（金属酸化物半導体：ｍｅｔａｌ  ｏｘｉｄｅ  ｓｅｍｉｃｏｎｄｕｃｔｏｒ）または他のダイオード、
２．基板としてのガラスプレート上の薄膜トランジスター（ＴＦＴ：ｔｈｉｎ−ｆｉｌｍ  ｔｒａｎｓｉｓｔｏｒ）。
【０００７】
基板材料として単結晶シリコンを使用すると、色々な部品ディスプレイのモジュール組み立て品の場合であっても接続部での問題が生じるため、ディスプレイの大きさが制限される。
【０００８】
好適であってより有望な第２のタイプの場合には、使用される電気光学的効果は、通常、ＴＮ効果である。区別される２つの技術がある：例えば、ＣｄＳｅなどの化合物半導体を含むＴＦＴと、多結晶またはアモルファスシリコンに基づくＴＦＴとである。後者の技術について、世界的に集中した研究がなされている。
【０００９】
ＴＦＴマトリクスは、ディスプレイの一方のガラスプレートの内側に形成され、もう一方のガラスプレートは、その内側に透明な対向電極を有する。ピクセル電極の大きさと比較して、ＴＦＴは非常に小さく、事実上、画像に対する悪影響はない。この技術は、フルカラー対応のディスプレイにも拡張でき、このディスプレイでは、フィルター素子がスイッチング可能なピクセルの各々に対向するように、赤、緑および青フィルターのモザイクが配置されている。
【００１０】
ＴＦＴディスプレイは、通常、透過光に対して直交した偏光子を備えるＴＮセルとして作動し、バックライトで照らされる。
【００１１】
本明細書においてＭＬＣディスプレイとの用語は、集積非線形素子を備えた任意のマトリクスディスプレイを包含し、即ち、アクティブマトリクスに加えて、バリスターまたはダイオード（ＭＩＭ、即ち、ｍｅｔａｌ−ｉｎｓｕｌａｔｏｒ−ｍｅｔａｌ）などのパッシブ素子を備えるディスプレイも包含する。
【００１２】
このタイプのＭＬＣディスプレイは、特にテレビ用途（例えば、ポケットテレビ）またはコンピュータ用途（ラップトップ）および自動車または航空機内における高度情報ディスプレイに適している。コントラストの角度依存性および応答時間に関する問題に加えて、ＭＬＣディスプレイにおいては、液晶混合物の比抵抗が十分に高くないことに起因する問題もある［ＴＯＧＡＳＨＩ，Ｓ．、ＳＥＫＯＧＵＣＨＩ，Ｋ．、ＴＡＮＡＢＥ，Ｈ．、ＹＡＭＡＭＯＴＯ，Ｅ．、ＳＯＲＩＭＡＣＨＩ，Ｋ．、ＴＡＪＩＭＡ，Ｅ．、ＷＡＴＡＮＡＢＥ，Ｈ．およびＳＨＩＭＩＺＵ，Ｈ．、Ｐｒｏｃ．Ｅｕｒｏｄｉｓｐｌａｙ、第８４巻、１９８４年９月、第Ａ２１０〜２８８号、Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ、第１４１ｆｆ頁、パリ（非特許文献１）；ＳＴＲＯＭＥＲ，Ｍ．、Ｐｒｏｃ．Ｅｕｒｏｄｉｓｐｌａｙ、第８４巻、１９８４年９月、Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ、第１４５ｆｆ頁、パリ（非特許文献２）］。抵抗の低下に伴い、ＭＬＣディスプレイのコントラストが劣化し、また、残像消去の問題も生じ得る。液晶混合物の比抵抗は、ディスプレイの内部表面との相互作用のために、一般に、ＭＬＣディスプレイの寿命に渡って低下するので、許容される耐用年数を得るためには、高い（初期）抵抗が非常に重要である。特に、低電圧混合物の場合には、非常に高い抵抗値を達成することは従来不可能であった。更に、温度の上昇および加熱および／またはＵＶ照射後に、比抵抗が可能な限り小さい上昇を示すことも重要である。また、先行技術からの混合物の低温特性も特に良くない。たとえ低温であっても、結晶および／またはスメクチック相が生じないこと、および、粘度の温度依存性も可能な限り低いことが要求される。よって、先行技術からのＭＬＣディスプレイは今日の必要条件を満たさない。
【００１３】
よって、非常に高い比抵抗を有すると同時に、広い動作温度範囲、低温においても短い応答時間および低い閾電圧を有しており、これらの不都合を有していないか、低減された程度にのみ有しているＭＬＣディスプレイが引き続き強く要求されている。
【００１４】
バックライトを使用する、即ち、透過的および所望により半透過的に動作する液晶ディスプレイに加え、反射型液晶ディスプレイにも特に興味がもたれている。これらの反射型液晶ディスプレイは、情報表示のために周囲光を使用する。それらは、よって、対応する大きさおよび解像度を有するバックライト液晶ディスプレイよりも、消費エネルギーが著しく少ない。ＴＮ効果はコントラストが非常によいことで特徴付けられるため、このタイプの反射型ディスプレイは、明るい周囲状況下においてでさえ良好に読むことができる。これは、例えば、時計およびポケット計算機において使用されている通りの、単純な反射型ＴＮディスプレイとして既に知られている。しかしながら、また、当該原理は、例えば、ＴＦＴディスプレイなどの高品質で、より高解像度のアクティブマトリックスでアドレスされるディスプレイにも適用できる。ここで、一般的には従来のものである透過型ＴＦＴ−ＴＮディスプレイにおいて既に使用されている通り、低い複屈折率（Δｎ）の液晶を使用することが、低い光学的リターデーション（ｄ・Δｎ）を達成するために必要である。この低い光学的リターデーションの結果、通常は、コントラストの視野角依存性が許容できる程度に低くなる（ドイツ国特許第３０  ２２  ８１８号明細書（特許文献１）参照）。反射型ディスプレイにおいて、光が通過する有効な層の厚さは、同じ層厚を有する透過型ディスプレイの約２倍の反射型ディスプレイにおける大きさであるため、低複屈折率の液晶を使用することが透過型ディスプレイよりも更に重要である。
【００１５】
ＴＮ（Ｓｃｈａｄｔ−Ｈｅｌｆｒｉｃｈ）セルにおいては、セル中で以下の利点を促進する媒体が望まれる：
−広げられたネマチック相範囲（特に、低温まで）、
−極めて低温においてですら貯蔵安定性、
−極めて低温におけるスイッチ能力（屋外使用、自動車、航空機）、
−ＵＶ照射に対する増大された耐性（より長い耐用年数）、
−反射型ディスプレイ用の低い光学的複屈折（Δｎ）。
【００１６】
先行技術から入手可能な媒体では、同時に他のパラメータを保持しながら、これらの利点を達成することはできない。
【００１７】
スーパーツイスト（ＳＴＮ）セルの場合、より大きなマルチプレックス性および／またはより低い閾電圧および／またはより広いネマチック相範囲（特に、低温において）を可能とする媒体が望まれる。この目的のために、利用可能なパラメータの自由度（透明点、スメクチック−ネマチック相転移または融点、粘度、誘電パラメータ、弾性パラメータ）を一層広げることが、至急望まれている。
【先行技術文献】
【特許文献】
【００１８】
【特許文献１】ドイツ国特許第３０  ２２  ８１８号明細書
【非特許文献】
【００１９】
【非特許文献１】ＴＯＧＡＳＨＩ，Ｓ．、ＳＥＫＯＧＵＣＨＩ，Ｋ．、ＴＡＮＡＢＥ，Ｈ．、ＹＡＭＡＭＯＴＯ，Ｅ．、ＳＯＲＩＭＡＣＨＩ，Ｋ．、ＴＡＪＩＭＡ，Ｅ．、ＷＡＴＡＮＡＢＥ，Ｈ．およびＳＨＩＭＩＺＵ，Ｈ．、Ｐｒｏｃ．Ｅｕｒｏｄｉｓｐｌａｙ、第８４巻、１９８４年９月、第Ａ２１０〜２８８号、Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ、第１４１ｆｆ頁、パリ
【非特許文献２】ＳＴＲＯＭＥＲ，Ｍ．、Ｐｒｏｃ．Ｅｕｒｏｄｉｓｐｌａｙ、第８４巻、１９８４年９月、Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ、第１４５ｆｆ頁、パリ
【発明の概要】
【発明が解決しようとする課題】
【００２０】
本発明は、特に、このタイプのＭＬＣ、ＴＮまたはＳＴＮディスプレイ用で、上述の不具合を有していないか、低減された程度にのみ有しており、好ましくは、同時に、非常に低い閾電圧、低い粘度および電圧保持率（ＶＨＲ）に関する高い値を有する媒体を提供することを目的とする。
【課題を解決するための手段】
【００２１】
本発明による媒体をディスプレイにおいて使用すれば、この目的を達成できることが見出された。
【００２２】
よって、本発明は、液晶媒体、好ましくは正の誘電異方性の極性化合物の混合物に基づく液晶媒体に関し、式Ｉの１種類以上の化合物と、式ＩＡおよびＩＢの化合物より選択される１種類以上の化合物とを含むことを特徴とする。
【００２３】
【化１】
0005518739.tif 000002
式中、
Ｒ１、Ｒ２は、それぞれ互いに独立に、Ｈ、１〜１５個のＣ原子を有し、ハロゲン化されているか、ＣＮ置換されているか、または、無置換であるアルキル基を表し、ただし加えて、Ｏ原子が互いに直接結合しないようにして、これらの基における１個以上のＣＨ２基は、それぞれ互いに独立に、−Ｃ≡Ｃ−、−ＣＯ−、−ＣＨ＝ＣＨ−、−Ｏ−、
【００２４】
【化２】
0005518739.tif 000003
で置き換えられていてもよく、
Ｘ１、Ｘ２は、それぞれ互いに独立に、Ｆ、Ｃｌ、ＣＮ、ＳＦ５、ＳＣＮ、ＮＣＳ、それぞれ６個までのＣ原子を有するハロゲン化アルキル基、ハロゲン化アルケニル基、ハロゲン化アルコキシ基またはハロゲン化アルケニルオキシ基を表し、および
Ｌ１〜４は、それぞれ互いに独立に、ＨまたはＦを表す。
【発明を実施するための形態】
【００２５】
式Ｉ、ＩＡおよびＩＢの化合物は広範囲の用途を有する。置換基の選択によっては、これらの化合物を、液晶媒体の大部分を構成する基礎材料として機能させることができるが、しかしながら、例えば、他のクラスの化合物からの液晶基礎材料のタイプの誘電体の誘電および／または光学的異方性を改変するために、および／またはその閾電圧および／またはその粘度を最適化するために、他のクラスの化合物からの液晶基礎材料に式ＩおよびＩＡ／ＩＢの化合物を添加することも可能である。本発明による混合の考え方の結果、それらの非常に良好な長期安定性およびＶｔｈ／γ１比によって、先行技術より際立つ混合物が得られる。本発明による混合物は、ノート型パソコン、ＰＤＡおよび他の携帯用途に特に適する。
【００２６】
純粋な状態において、式Ｉ、ＩＡおよびＩＢの化合物は無色であり、電気光学的使用のために好ましい温度範囲で液晶中間相を形成する。それらは化学的、熱的、および光に対して安定である。
【００２７】
式Ｉ／ＩＡ／ＩＢにおけるＲ１／２がアルキル基および／またはアルコキシ基を表す場合、これは直鎖状または分岐状の何れでも構わない。それは、好ましくは直鎖状で、１、２、３、４、５、６または７個のＣ原子を有しており、従って、好ましくは、メチル、エチル、プロピル、ブチル、ペンチル、ヘキシル、ヘプチル、メトキシ、エトキシ、プロポキシ、ブトキシ、ペントキシ、ヘキシルオキシまたはヘプチルオキシ、更に、オクチル、ノニル、デシル、ウンデシル、ドデシル、トリデシル、テトラデシル、ペンタデシル、オクチルオキシ、ノニルオキシ、デシルオキシ、ウンデシルオキシ、ドデシルオキシ、トリデシルオキシまたはテトラデシルオキシを表す。
【００２８】
Ｒ１／２（即ち、Ｒ１、Ｒ２）が、１つのＣＨ２基が−ＣＨ＝ＣＨ−で置き換えられたアルキル基を表す場合、これは直鎖状または分岐状のいずれでも構わない。それは、好ましくは、直鎖状で、２〜１０個のＣ原子を有する。従って、それは、特に、ビニル、プロパ−１−または−２−エニル、ブタ−１−、−２−または−３−エニル、ペンタ−１−、−２−、−３−または−４−エニル、ヘキサ−１−、２−、−３−、−４−または−５−エニル、ヘプタ−１−、−２−、−３−、−４−、−５−または−６−エニル、オクタ−１−、−２−、−３−、−４−、−５−、−６−または−７−エニル、ノナ−１−、−２−、−３−、−４−、−５−、−６−、−７−または−８−エニル、または、デカ−１−、−２−、−３−、−４−、−５−、−６−、−７−、−８−または−９−エニルを表す。
【００２９】
Ｒ１／２が、１つのＣＨ２基が−Ｏ−で置き換えられ、１つが−ＣＯ−で置き換えられたアルキル基を表す場合、これらは好ましくは隣接している。これらは、よって、アシルオキシ基−ＣＯ−Ｏ−またはオキシカルボニル基−Ｏ−ＣＯ−を含有する。これらは、好ましくは、直鎖状で、２〜６個のＣ原子を有する。従って、それらは、特に、アセトキシ、プロピオニルオキシ、ブチリルオキシ、ペンタノイルオキシ、ヘキサノイルオキシ、アセトキシメチル、プロピオニルオキシメチル、ブチリルオキシメチル、ペンタノイルオキシメチル、２−アセトキシエチル、２−プロピオニルオキシエチル、２−ブチリルオキシエチル、２−アセトキシプロピル、３−プロピオニルオキシプロピル、４−アセトキシブチル、メトキシカルボニル、エトキシルカルボニル、プロポキシカルボニル、ブトキシカルボニル、ペントキシカルボニル、メトキシカルボニルメチル、エトキシカルボニルメチル、プロポキシカルボニルメチル、ブトキシカルボニルメチル、２−（メトキシカルボニル）エチル、２−（エトキシカルボニル）エチル、２−（プロポキシカルボニル）エチル、３−（メトキシカルボニル）プロピル、３−（エトキシカルボニル）プロピルまたは４−（メトキシカルボニル）ブチルを表す。
【００３０】
Ｒ１／２が、１つのＣＨ２基が無置換または置換された−ＣＨ＝ＣＨ−で置き換えられ、隣接するＣＨ２基がＣＯまたはＣＯ−ＯまたはＯ−ＣＯで置き換えられたアルキル基を表す場合、これらは直鎖状または分岐状のいずれでも構わない。それは、好ましくは、直鎖状で、４〜１２個のＣ原子を有する。従って、それは、特に、アクリロイルオキシメチル、２−アクリロイルオキシエチル、３−アクリロイルオキシプロピル、４−アクリロイルオキシブチル、５−アクリロイルオキシペンチル、６−アクリロイルオキシヘキシル、７−アクリロイルオキシヘプチル、８−アクリロイルオキシオクチル、９−アクリロイルオキシノニル、１０−アクリロイルオキシデシル、メタクリロイルオキシメチル、２−メタクリロイルオキシエチル、３−メタクリロイルオキシプロピル、４−メタクリロイルオキシブチル、５−メタクリロイルオキシペンチル、６−メタクリロイルオキシヘキシル、７−メタクリロイルオキシヘプチル、８−メタクリロイルオキシオクチルまたは９−メタクリロイルオキシノニルを表す。
【００３１】
Ｒ１／２が、ＣＮで一置換されたアルキルまたはアルケニル基を表す場合、この基は、好ましくは、直鎖状である。ＣＮによる置換は、任意の所望の位置で構わない。
【００３２】
Ｒ１／２が、ハロゲンで少なくとも一置換されたアルキルまたはアルケニル基を表す場合、この基は、好ましくは、直鎖状で、ハロゲンは、好ましくは、ＦまたはＣｌである。多置換の場合、ハロゲンは、好ましくは、Ｆである。結果として生じる基は、ペルフルオロ化された基も含む。一置換の場合、フッ素または塩素置換基は任意の所望の位置で構わないが、好ましくは、ω−位である。
【００３３】
分岐した翼状の基Ｒ１／２を含有する化合物は、従来の液晶基礎材料中での更に良好な溶解性のために、しかし、それらが光学活性である場合には、特にキラルドーパントとして、しばしば重要な場合がある。このタイプのスメクチック化合物は、強誘電材料の成分として適している。
【００３４】
このタイプの分岐状の基は、一般に、１個以下の鎖分岐を含む。好ましい分岐状の基Ｒ１／２は、イソプロピル、２−ブチル（即ち、１−メチルプロピル）、イソブチル（即ち、２−メチルプロピル）、２−メチルブチル、イソペンチル（即ち、３−メチルブチル）、２−メチルペンチル、３−メチルペンチル、２−エチルヘキシル、２−プロピルペンチル、イソプロポキシ、２−メチルプロポキシ、２−メチルブトキシ、３−メチルブトキシ、２−メチルペントキシ、３−メチルペントキシ、２−エチルヘキシルオキシ、１−メチルヘキシルオキシおよび１−メチルヘプチルオキシである。
【００３５】
Ｒ１／２が、２個以上のＣＨ２基が−Ｏ−および／または−ＣＯ−Ｏ−で置き換えられたアルキル基を表す場合、これは、直鎖状または分岐状の何れでも構わない。それは、好ましくは、分岐状で、３〜１２個のＣ原子を有する。従って、それは、特に、ビスカルボキシメチル、２，２−ビスカルボキシエチル、３，３−ビスカルボキシプロピル、４，４−ビスカルボキシブチル、５，５−ビスカルボキシペンチル、６，６−ビスカルボキシヘキシル、７，７−ビスカルボキシヘプチル、８，８−ビスカルボキシオクチル、９，９−ビスカルボキシノニル、１０，１０−ビスカルボキシデシル、ビス（メトキシカルボニル）メチル、２，２−ビス（メトキシカルボニル）エチル、３，３−ビス（メトキシカルボニル）プロピル、４，４−ビス（メトキシカルボニル）ブチル、５，５−ビス（メトキシカルボニル）ペンチル、６，６−ビス（メトキシカルボニル）ヘキシル、７，７−ビス（メトキシカルボニル）ヘプチル、８，８−ビス（メトキシカルボニル）オクチル、ビス（エトキシカルボニル）メチル、２，２−ビス（エトキシカルボニル）エチル、３，３−ビス（エトキシカルボニル）プロピル、４，４−ビス（エトキシカルボニル）ブチルまたは５，５−ビス（エトキシカルボニル）ヘキシルである。
【００３６】
式Ｉ、ＩＡおよびＩＢの化合物は、文献（例えば、Ｈｏｕｂｅｎ−Ｗｅｙｌ著、Ｍｅｔｈｏｄｅｎ ｄｅｒ ｏｒｇａｎｉｓｃｈｅｎ Ｃｈｅｍｉｅ［Ｍｅｔｈｏｄｓ ｏｆ Ｏｒｇａｎｉｃ Ｃｈｅｍｉｓｔｒｙ］、Ｇｅｏｒｇ−Ｔｈｉｅｍｅ−Ｖｅｒｌａｇ社、Ｓｔｕｔｔｇａｒｔ市などの標準的な著作）において記載される通り、それ自身既知の方法によって、正確には公知であって前記反応に適する反応条件下で調製される。また、本明細書においては、本明細書において非常に詳細には述べていない、それ自身既知の変法を使用しても構わない。式Ｉの化合物は、例えば、ドイツ国特許出願公開第１０２００４０２１３３４号公報に記載される通り調製される。
【００３７】
また、本発明は、このタイプの媒体を含有する電気光学的ディスプレイ（特に、外枠と共にセルを形成する２枚の平坦で平行な外板、外板上の個々のピクセルをスイッチングするための集積非線形素子、および、セル内に配置されており正の誘電異方性および高い比抵抗のネマチック液晶混合物を有するＳＴＮまたはＭＬＣディスプレイ）と、これらの媒体を電気光学的な目的のために使用することにも関する。
【００３８】
本発明による液晶混合物により、利用可能なパラメータの自由度を著しく広げることが可能である。透明点、低温における粘度、熱およびＵＶ安定性および誘電異方性の達成可能な組み合わせは、先行技術からの従来材料よりはるかに優れている。
【００３９】
先行技術において開示される混合物と比較して、本発明による混合物は、より高い透明点、低いγ１値、流動粘度に対するより低い値、および、１００℃におけるＶＨＲに対する非常に高い値を有する。本発明による混合物は、好ましくは、モニターまたは（部分的に）反射型ディスプレイ用のＴＮ−ＴＦＴ混合物として適する。
【００４０】
本発明による液晶混合物によって、−３０℃まで下げても、特に好ましくは−４０℃まで下げてもネマチック相を保持しながら、７０℃を超える、好ましくは７５℃を超える、特に好ましくは８０℃以上の透明点で、同時に、６以上、好ましくは８以上の誘電異方性値Δε、および、高い比抵抗の値が達成可能となり、優れたＳＴＮおよびＭＬＣディスプレイが入手可能となる。特に、当該混合物は、低い動作電圧によって特徴づけられる。ＴＮ閾値は、１．５Ｖ未満、好ましくは１．３Ｖ未満、特に好ましくは１．２Ｖ以下である。
【００４１】
言うまでもなく、本発明による混合物の成分を適切に選択することで、他の有利な特性を保持しながら、より高い閾電圧において更に高い透明点（例えば１１０℃を超える）を達成するか、より低い閾電圧において更に低い透明点を達成することも可能である。同様に、粘度の対応する上昇をわずかにとどめながら、より大きなΔεおよび、よって低い閾値を有する混合物を入手することも可能である。本発明によるＭＬＣディスプレイは、好ましくは、グーチ・タリーの第１次透過極小［Ｃ．Ｈ．ＧｏｏｃｈおよびＨ．Ａ．Ｔａｒｒｙ、Ｅｌｅｃｔｒｏｎ．Ｌｅｔｔ．１０巻、２〜４頁、１９７４年；Ｃ．Ｈ．ＧｏｏｃｈおよびＨ．Ａ．Ｔａｒｒｙ、Ａｐｐｌ．Ｐｈｙｓ．、８巻、１５７５〜１５８４年、１９７５年］で動作させることが好ましく、例えば、特性線の急峻性およびコントラストの視野角依存性が低いなど（ドイツ国特許第３０  ２２  ８１８号明細書）の特に好ましい電気光学的特性に加えて、第２次極小における類似のディスプレイと同じ閾電圧が、より低い誘電異方性でも十分となる。このため、第１次極小において本発明による混合物を使用することにより、シアノ化合物を含む混合物の場合よりも、極めて高い比抵抗値を達成することができる。個々の成分およびそれらの重量割合を適切に選択することで、当業者は簡単なルーチンの方法を使用して、ＭＬＣディスプレイの予め指定された層厚に必要な複屈折率を設定できる。
【００４２】
本発明による混合物の２０℃における回転粘度γ１は、好ましくは１４０ｍＰａ・ｓ未満、特に好ましくは１２０ｍＰａ・ｓ未満である。ネマチック相範囲は、好ましくは少なくとも１００°、特には少なくとも１１０°である。この範囲は、好ましくは、少なくとも−４０°から＋７５°に及ぶ。
【００４３】
液晶ディスプレイにおいては、短い応答時間が望まれる。このことは、特にビデオ再生が可能であるよう意図されているディスプレイに当てはまる。このタイプのディスプレイでは、応答時間（合計：ｔｏｎ＋ｔｏｆｆ）は大きくても１６ｍｓが要求される。応答時間の上限は、画像リフレッシュの頻度によって決定される。
【００４４】
電圧保持率（ＨＲ）の測定［Ｓ．Ｍａｔｓｕｍｏｔｏら、Ｌｉｑｕｉｄ  Ｃｒｙｓｔａｌｓ  ５巻、１３２０頁（１９８９年）；Ｋ．Ｎｉｗａら、Ｐｒｏｃ．ＳＩＤ  Ｃｏｎｆｅｒｅｎｃｅ、サンフランシスコ、１９８４年６月、３０４頁（１９８４年）；Ｇ．Ｗｅｂｅｒら、Ｌｉｑｕｉｄ  Ｃｒｙｓｔａｌｓ  ５巻、１３８１頁（１９８９年）］によって、式ＩおよびＩＡ／ＩＢの化合物を含有する本発明による混合物は、式
【００４５】
【化３】
0005518739.tif 000004
のシアノフェニルシクロヘキサン類または式
【００４６】
【化４】
0005518739.tif 000005
のエステル類を式ＩＡの化合物の代わりに含む類似混合物よりも、温度上昇に伴うＨＲの低下が著しく小さい挙動を取ることが示された。
【００４７】
本発明による混合物は、好ましくは、ニトリル類を殆ど含まないか（２０％以下、特には１０％以下）、全く含まない。本発明による混合物の保持率は、２０℃において、少なくとも９８％、好ましくは９９％より大きい。また、本発明による混合物のＵＶ安定性も極めて更に良好であり、即ち、それらは、ＵＶに曝露した際のＨＲの低下が著しく小さい挙動を示す。
【００４８】
式Ｉの化合物におけるＲ１は、好ましくは、１〜７個のＣ原子を有する直鎖状のアルキル、特には、ＣＨ３、Ｃ２Ｈ５、ｎ−Ｃ３Ｈ７、ｎ−Ｃ４Ｈ９、ｎ−Ｃ５Ｈ１１、ｎ−Ｃ６Ｈ１３、ｎ−Ｃ７Ｈ１５、更には、１Ｅ−または３−アルケニル、特には、ＣＨ２＝ＣＨ、ＣＨ３ＣＨ＝ＣＨ、ＣＨ２＝ＣＨＣＨ２ＣＨ２、ＣＨ３ＣＨ＝ＣＨ−ＣＨ２ＣＨ２を表す。
【００４９】
式Ｉは、好ましくは、式Ｉ−１〜Ｉ−５の化合物を包含する。
【００５０】
【化５】
0005518739.tif 000006
式中、ｎは、１、２、３、４、５、６または７を表す。
【００５１】
式Ｉの特に好ましい化合物は、
ＸがＦまたはＯＣＦ３を表す
式ＩおよびＩ−１〜Ｉ−５の化合物である。
【００５２】
式Ｉ−１および／またはＩ−２の少なくとも１種類の化合物を含む本発明による媒体が好ましい。
【００５３】
式ＩＡの好ましい化合物は、式ＩＡ−１〜ＩＡ−４の化合物である。
【００５４】
【化６】
0005518739.tif 000007
式中、Ｒ２は、上で示される意味を有する。
【００５５】
これらの好ましい化合物のなかでも、式ＩＡ−１およびＩＡ−２のものが特に好ましい。
【００５６】
式ＩＢの好ましい化合物は、式ＩＢ−１〜ＩＢ−４の化合物である。
【００５７】
【化７】
0005518739.tif 000008
式中、Ｒ２は、上で示される意味を有する。
【００５８】
式Ｉ、ＩＡおよびＩＢおよび付随するサブ式の化合物における１，４−置換シクロヘキサン環は、好ましくは、１，４−トランスに配置されている。
【００５９】
好ましい実施形態を下に示す。
【００６０】
−媒体は、式ＩＡ−１〜ＩＡ−４の群より選択される１種類または２種類以上の化合物を含む。
【００６１】
−媒体は、式ＩＢ−１〜ＩＢ−４の群より選択される１種類または２種類以上の化合物を含む。
【００６２】
−媒体は、一般式ＩＩ〜ＶＩから成る群より選択される１種類以上の化合物を追加的に含む。
【００６３】
【化８】
0005518739.tif 000009
式中、個々の基は以下の意味を有する：
Ｒ０は、Ｈ、それぞれ９個までのＣ原子を有するｎ−アルキル、アルコキシ、オキサアルキル、フルオロアルキル、アルケニルオキシまたはアルケニルを表し、
Ｘ０は、Ｆ、Ｃｌ、６個までのＣ原子を有するハロゲン化アルキル、アルケニル、アルケニルオキシまたはアルコキシを表し、
Ｚ０は、−Ｃ２Ｆ４−、−ＣＦ＝ＣＦ−、−ＣＨ＝ＣＦ−、−ＣＦ＝ＣＨ−、−ＣＨ＝ＣＨ−、−Ｏ（ＣＨ２）３−、−（ＣＨ２）３Ｏ−、−Ｃ２Ｈ４−、−（ＣＨ２）４−、−ＣＦ２Ｏ−、−ＯＣＦ２−、−ＯＣＨ２−または−ＣＨ２Ｏ−を表し、
Ｙ１〜４は、それぞれ互いに独立に、ＨまたはＦを表し、
ｒは、０または１を表す。
【００６４】
式ＩＶの化合物は、好ましくは、以下である。
【００６５】
【化９】
0005518739.tif 000010
−媒体は、一般式ＶＩＩ〜ＸＩから成る群より選択される１種類以上の化合物を追加的に含む。
【００６６】
【化１０】
0005518739.tif 000011
式中、Ｒ０、Ｘ０、Ｙ１およびＹ２は、それぞれ互いに独立に、式ＩＩに対して上で示される意味の１つを有する。Ｙ３およびＹ４は、それぞれ互いに独立に、ＨまたはＦを表す。Ｘ０は、好ましくは、Ｆ、Ｃｌ、ＣＦ３、ＯＣＦ３またはＯＣＨＦ２である。Ｒ０は、好ましくは、それぞれ６個までのＣ原子を有するアルキル、オキサアルキル、フルオロアルキルまたはアルケニルを表す。
−媒体は、式Ｅａ〜Ｅｆの１種類以上のエステル化合物を含む。
【００６７】
【化１１】
0005518739.tif 000012
式中、Ｒ０は、式ＩＩに対して上で示される意味を有する。
【００６８】
−混合物全体における式ＩＡ／ＩＢおよびＩ〜ＶＩの化合物の合計の割合は、少なくとも５０重量％である。
【００６９】
−混合物全体における式Ｉの化合物の割合は、５重量％以上、好ましくは１０重量％以上、特には１２重量％以上である。
【００７０】
−混合物全体における式Ｉの化合物の割合は、５〜４０、好ましくは８〜３０重量％、特に好ましくは１０〜３０重量％である。
【００７１】
−混合物全体における式ＩＡの化合物の割合は、１０〜５０、特に好ましくは１５〜４０重量％である。
【００７２】
−混合物全体における式ＩＢの化合物の割合は、１〜２０、特に好ましくは２〜１０重量％である。
【００７３】
−混合物全体における式ＩＩ〜ＶＩの化合物の割合は、３０〜８０重量％である。
−
【００７４】
【化１２】
0005518739.tif 000013
−媒体は、式ＩＩ、ＩＩＩ、ＩＶ、ＶまたはＶＩの化合物を含む。
【００７５】
−Ｒ０は、それぞれ１または２〜７個のＣ原子を有する直鎖状のアルキルまたはアルケニルである。
【００７６】
−媒体は、式ＩＡ／ＩＢおよびＩ〜ＶＩの化合物より本質的に成る。
【００７７】
−媒体は、１、２または３種類以上、好ましくは２または３種類の下式の化合物を追加的に含む。
【００７８】
【化１３】
0005518739.tif 000014
式中、「ａｌｋｙｌ」および「ａｌｋｙｌ＊」は、それぞれ互いに独立に、１〜９個のＣ原子を有する直鎖状または分岐状のアルキル基を表す。
【００７９】
本発明による混合物における式Ｏ１および／またはＯ２の化合物の割合は、好ましくは、５〜１０重量％である。
【００８０】
−媒体は、好ましくは、５〜３５重量％の式ＩＶａの化合物を含む。
【００８１】
−媒体は、好ましくは、Ｘ０がＦまたはＯＣＦ３を表す式ＩＶａの１、２または３種類の化合物を含む。
【００８２】
−媒体は、好ましくは、１種類以上の式ＩＩａ〜ＩＩｇの化合物を含む。
【００８３】
【化１４】
0005518739.tif 000015
式中、Ｒ０は、上で示される意味を有する。式ＩＩａ〜ＩＩｇの化合物において、Ｒ０は、好ましくは、Ｈ、メチル、エチル、ｎ−プロピル、ｎ−ブチルまたはｎ−ペンチル、更に、ｎ−ヘキシルまたはｎ−ヘプチルを表す。
【００８４】
−重量比（Ｉ＋ＩＡ／ＩＢ）：（ＩＩ＋ＩＩＩ＋ＩＶ＋Ｖ＋ＶＩ）は、好ましくは、１：１０〜１０：１である。
【００８５】
−媒体は、一般式ＩＡ／ＩＢおよびＩ〜ＸＩから成る群より選択される化合物から本質的に成る。
【００８６】
−Ｘ０がフッ素を表し、Ｒ０がＣ２Ｈ５、ｎ−Ｃ３Ｈ７、ｎ−Ｃ４Ｈ５またはｎ−Ｃ５Ｈ１１を表す式ＩＶｂおよび／またはＩＶｃの化合物の混合物全体における割合は、２〜２０重量％以上、特には２〜１５重量％である。
【００８７】
−媒体は、好ましくは、群Ｈ１〜Ｈ１５（ｎは１〜１２）より選択される化合物の同族体を１、２または３種類、更には、４種類含む。
【００８８】
【化１５】
0005518739.tif 000016
【００８９】
【化１６】
0005518739.tif 000017
【００９０】
【化１７】
0005518739.tif 000018
−媒体は、好ましくは、Ｒ０がメチルを表す化合物ＩＩｂを含む。
【００９１】
−媒体は、好ましくは、式ＲＩ〜ＲＶＩＩから成る以下の群より選択される低いΔｎの化合物を含む。
【００９２】
【化１８】
0005518739.tif 000019
式中、
Ｒ＊は、それぞれ９個までのＣ原子を有するｎ−アルキル、アルケニル、アルコキシ、オキサアルキル、フルオロアルキルまたはアルケニルオキシを表し、
ａｌｋｙｌおよびａｌｋｙｌ＊は、それぞれ互いに独立に、１〜９個のＣ原子を有する直鎖状または分岐状のアルキル基を表し、および
（Ｏ）は、単結合または−Ｏ−を表す。
【００９３】
−媒体は、式ＡＮ１〜ＡＮ１１の縮合環を含有する１または２種類以上の化合物を追加的に含む。
【００９４】
【化１９】
0005518739.tif 000020
【００９５】
【化２０】
0005518739.tif 000021
式中、Ｒ０は、上で示される意味を有する。
【００９６】
−媒体は、式Ｐ−１〜Ｐ−１１の１種類以上のピラン化合物を付加的に含む。
【００９７】
【化２１】
0005518739.tif 000022
【００９８】
【化２２】
0005518739.tif 000023
式中、Ｒ０は、上で示される意味を有する。
【００９９】
−媒体は、式Ｐ−１、Ｈ１５およびＰ−５より選択される１種類以上の化合物を含む。
【０１００】
【化２３】
0005518739.tif 000024
これらの化合物の割合は、全体で、特に好ましくは、５〜５０重量％である。
【０１０１】
−媒体は、好ましくは、式Ｄ−１および／またはＤ−２の１種類以上のジオキサン化合物を含む。
【０１０２】
【化２４】
0005518739.tif 000025
式中、
Ｒ０は、上で示される意味を有する。
【０１０３】
好ましい混合物は、２〜４０％のジオキサン類を含む。
【０１０４】
用語「ａｌｋｙｌ」または「ａｌｋｙｌ＊」は、１〜７個の炭素原子を有する直鎖状および分岐状のアルキル基、特に、直鎖状の基であるメチル、エチル、プロピル、ブチル、ペンチル、ヘキシルおよびヘプチルを包含する。２〜５個の炭素原子を有する基が、一般に好ましい。
【０１０５】
用語「ａｌｋｅｎｙｌ」は、２〜７個の炭素原子を有する直鎖状および分岐状のアルケニル基、特に、直鎖状の基を包含する。好ましいアルケニル基は、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、特に、Ｃ２〜Ｃ７−１Ｅ−アルケニル、Ｃ４〜Ｃ７−３Ｅ−アルケニルおよびＣ５〜Ｃ７−４−アルケニルである。特に好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が、一般に好ましい。
【０１０６】
用語「フルオロアルキル」は、好ましくは、末端フッ素を有する直鎖状の基、即ち、フルオロメチル、２−フルオロエチル、３−フルオロプロピル、４−フルオロブチル、５−フルオロペンチル、６−フルオロヘキシルおよび７−フルオロヘプチルを包含する。しかしながら、フッ素の他の位置を除外するものではない。
【０１０７】
用語「オキサアルキル」は、好ましくは、式ＣｎＨ２ｎ＋１−Ｏ−（ＣＨ２）ｍの直鎖状の基を包含し、ただし、ｎおよびｍは、それぞれ互いに独立に、１〜６を表す。好ましくは、ｎは１で、ｍは１〜６である。
【０１０８】
式ＩおよびＩＡ／ＩＢの化合物を比較的少量ですら、従来の液晶材料と、しかし特には式ＩＩ、ＩＩＩ、ＩＶ、Ｖおよび／またはＶＩの１種類以上の化合物と混合すると、結果として、閾電圧が著しく低下し、ＶＨＲ（１００℃）が高い値となり、広いネマチック相で、低いスメクチック−ネマチック転移温度が観測されると同時に、保存期間が改良されることを見出した。特に、式ＩおよびＩＡ／ＩＢの１種類以上の化合物に加え、式ＩＶの１種類以上の化合物、特にＸ０がＦまたはＯＣＦ３を表す式ＩＶａの化合物を含む混合物が好ましい。式ＩＡ／ＩＢおよびＩ〜ＶＩの化合物は無色で、安定で、互いにおよび他の液晶材料と容易に混和する。
【０１０９】
式Ｉ、ＩＡ、ＩＢおよびＩＩ＋ＩＩＩ＋ＩＶ＋Ｖ＋ＶＩの化合物の最適な混合比は、所望の特性、式Ｉ、ＩＡ、ＩＢ、ＩＩ、ＩＩＩ、ＩＶ、Ｖおよび／またはＶＩの成分の選択、および存在してもよい任意の更なる成分の選択に実質的に依存する。
【０１１０】
上で与えられる範囲内での適切な混合比は、個々の成分に対する物質データを参照して、場合ごとに容易に決めることができる。
【０１１１】
本発明による混合物における式ＩＡ／ＩＢおよびＩ〜ＸＩの化合物の総量は、決定的なものではない。従って、混合物は、様々な特性の最適化の目的のために、１種類以上の更なる成分を含むことができる。しかしながら、式ＩＡ／ＩＢおよびＩ〜ＸＩの化合物の濃度が高くなるほど、アドレス時間および閾電圧において観測される効果は一般に大きくなる。
【０１１２】
特に好ましい実施形態において、本発明による媒体は、Ｘ０が、Ｆ、ＯＣＦ３、ＯＣＨＦ２、ＯＣＨ＝ＣＦ２、ＯＣＦ＝ＣＦ２またはＯＣＦ２−ＣＦ２Ｈを表す式ＩＩ〜ＶＩ（好ましくは、ＩＩ、ＩＩＩおよび／またはＩＶ、特に、ＩＶａ）の化合物を含む。式ＩおよびＩＡ／ＩＢの化合物との好ましい相乗効果により、特に有利な特性が結果として得られる。特に、式Ｉ、ＩＡ、ＩＢの、およびＩＶａの化合物を含む混合物は、それらの閾電圧が低いことで際立っている。
【０１１３】
本発明による媒体で使用できる式ＩＡ／ＩＢおよびＩ〜ＸＶＩＩＩおよびそれらのサブ式の個々の化合物は既知であるか、既知の化合物に類似して調製できるかのいずれかである。
【０１１４】
偏光子、電極基礎プレートおよび表面処理電極からの本発明によるＭＬＣディスプレイの構成は、このタイプのディスプレイの通常の設計に対応する。本明細書において、通常の設計との用語は広い意味で用いられ、ＭＬＣディスプレイの全ての派生品および改変品も包含し、特に、多結晶シリコンＴＦＴまたはＭＩＭに基づくマトリクスディスプレイ素子が挙げられる。
【０１１５】
しかしながら、本発明によるディスプレイと、ツイストネマチックセルに基づくこれまでの従来のディスプレイとの著しい相違点は、液晶層の液晶パラメータの選択にある。
【０１１６】
本発明に従って使用できる液晶混合物は、それ自体従来の様式で調製される。一般に、より少ない量で使用される成分の所望の量を、主要な構成成分を構成する成分中で、有利には昇温して溶解する。また、有機溶媒、例えば、アセトン、クロロホルムまたはメタノール中で成分の溶液を混合し、完全に混合した後、例えば、蒸留によって溶媒を再び除去することも可能である。
【０１１７】
また、誘電体は、例えば、安定剤、ＵＶフィルターおよび酸化防止剤などの当業者に既知で文献に記載される更なる添加剤も含んで構わない。例えば、０〜１５％の多色性色素またはキラルドーパントを加えることができる。
【０１１８】
本発明は、従って追加して、上および下で記載される通りの液晶媒体の調製方法にも関し、それは、式Ｉの１種類以上の化合物と、式ＩＡおよびＩＢより選択される１種類以上の化合物とを更なる液晶共成分と共に混合することを特徴とし、そして添加剤を任意に加えてもよい。
【０１１９】
本発明の実施形態および変法の更なる組み合わせは、請求項より明らかである。
【０１２０】
本出願において、および下の例において、液晶化合物の構造は頭文字によって示され、化学式への変換は、下の表ＡおよびＢに従って行う。全ての基ＣｎＨ２ｎ＋１およびＣｍＨ２ｍ＋１は、ｎおよびｍ個のＣ原子をそれぞれ有する直鎖状のアルキル基であり；ｎおよびｍは整数で、好ましくは、０、１、２、３、４、５、６、７、８、９、１０、１１または１２を表す。表Ｂにおけるコードは、それ自体で明らかである。表Ａにおいて、親構造にかかわる頭文字のみを示す。それぞれの場合において、親構造の頭文字の後に、ダッシュで分離されて、置換基Ｒ１＊、Ｒ２＊、Ｌ１＊、Ｌ２＊およびＬ３＊のためのコードが続く。
【０１２１】
【表１】
0005518739.tif 000026
好ましい混合物成分は表ＡおよびＢで与えられる。
【０１２２】
【表２】
0005518739.tif 000027
【０１２３】
【表３】
0005518739.tif 000028
【０１２４】
【表４】
0005518739.tif 000029
【０１２５】
【表５】
0005518739.tif 000030
【０１２６】
【表６】
0005518739.tif 000031
【０１２７】
【表７】
0005518739.tif 000032
【０１２８】
【表８】
0005518739.tif 000033
【０１２９】
【表９】
0005518739.tif 000034
【０１３０】
【表１０】
0005518739.tif 000035
【０１３１】
【表１１】
0005518739.tif 000036
【０１３２】
【表１２】
0005518739.tif 000037
式ＩおよびＩＡ／ＩＢの化合物に加え、表Ｂからの少なくとも１、２、３または４種類の化合物を含む液晶混合物が特に好ましい。
【０１３３】
表Ｃには、本発明による混合物に一般的に添加される可能なドーパントを示す。
【０１３４】
【表１３】
0005518739.tif 000038
【０１３５】
【表１４】
0005518739.tif 000039
【０１３６】
【表１５】
0005518739.tif 000040
例えば、本発明による混合物に添加できる安定剤を下に示す。
【０１３７】
【表１６】
0005518739.tif 000041
【０１３８】
【表１７】
0005518739.tif 000042
【０１３９】
【表１８】
0005518739.tif 000043
【０１４０】
【表１９】
0005518739.tif 000044
【０１４１】
【表２０】
0005518739.tif 000045
以下の例は、本発明を制限することなく、それを説明することを意図する。当業者は、一般的な記載において具体的には述べていない手順における詳細を例より探り出すことができ、一般的な専門家の知識に従ってこれらの詳細を一般化でき、それらを当業者の特定の問題に適用できるであろう。
【０１４２】
上および下において、パーセンテージは重量パーセントを表す。全ての温度は摂氏度で示されている。Δｎは光学的異方性（５８９ｎｍ、２０℃）を表わし、Δεは、誘電異方性（Δε＝ε‖−ε⊥、ここで、ε‖は長手方向の分子軸に平行な誘電率を表し、ε⊥はそれに垂直の誘電率を表す。）を表わす。回転粘度γ１（ｍＰａ・ｓ）は、２０℃で決定する。Ｖ１０は、１０％の透過（プレート表面に垂直な視野方向）の電圧を表す。ｔｏｎはＶ１０の値の２．０倍に対応する動作電圧におけるスイッチオン時間を表し、ｔｏｆｆはスイッチオフ時間を表す。Δｎは光学異方性を表す。電気光学的データは、特に別に述べない限り、２０℃でＴＮセルにおいて第１次極小で（即ち、ｄ・Δｎ値が０．５μｍにおいて）測定する。
【実施例】
【０１４３】
【表２１】
0005518739.tif 000046
【０１４４】
【表２２】
0005518739.tif 000047
【０１４５】
【表２３】
0005518739.tif 000048
【０１４６】
【表２４】
0005518739.tif 000049
【０１４７】
【表２５】
0005518739.tif 000050
【０１４８】
【表２６】
0005518739.tif 000051
【０１４９】
【表２７】
0005518739.tif 000052